(57)【要約】【課題】カメラのフィルムを圧板に吸着して平面性を向上させるカメラにおいて、カメラの厚み方向の寸法を低減して小型フィルムカメラへの適用を可能にする。【解決手段】カメラボディ１を開閉する裏蓋３のフィルムの露光が行われる領域の背面に沿って配置され、当該フィルムの背面に当接されてフィルムを平面状態に保持させるための圧板３１と、当該圧板３１の背後に区画形成されたエアー室３２と、フィルムの露光が行われる領域の背後を除く領域に配置され、エアー室３２のエアーを排出可能なエアー排出手段（エアー排出口３５，モータファン３６）と、露光が行われる領域の圧板３１に配設され、エアー室３２に連通された複数の吸気孔３３とを備える。エアー排出手段を配設した場合でもカメラの前後方向の厚みが低減されることになり、小型カメラへの適用が可能になる。【選択図】  図３
2004184823.tif 000002
【特許請求の範囲】
【請求項１】
フィルムの露光が行われる領域の背面に沿って配置され、当該フィルムの背面に当接されてフィルムを平面状態に保持させるための圧板と、前記圧板の背後に区画形成されたエアー室と、前記フィルムの露光が行われる領域の背後を除く領域に配置され、前記エアー室のエアーを排出可能なエアー排出手段と、前記露光が行われる領域の前記圧板に配設され、前記エアー室に連通された複数の吸気孔とを備えることを特徴とするカメラのフィルム平面保持構造。
【請求項２】
フィルムの露光が行われる領域の背面に沿って配置され、当該フィルムの背面に当接されてフィルムを平面状態に保持させるための圧板と、前記圧板の背後に区画形成され、エアー排出口を通して外部に連通されているエアー室と、前記エアー室を外部に連通させた状態で前記エアー室のエアーを排出可能なエアー排出手段と、前記露光が行われる領域の前記圧板に配設され、前記エアー室に連通された複数の吸気孔とを備え、前記エアー排出手段をファンで構成したことを特徴とするカメラのフィルム平面保持構造。
【請求項３】
前記エアー排出手段は、前記フィルムの露光が行われる領域から外れたカメラの側面領域に配設されていることを特徴とする請求項１又は２に記載のカメラのフィルム平面保持構造。
【請求項４】
前記エアー排出手段は、前記フィルムの露光が行われる領域から外れたカメラの底面領域に配設されていることを特徴とする請求項１ないし３のいずれかに記載のカメラのフィルム平面保持構造。
【請求項５】
カメラボディに設けられた露光領域を確定するためのアパーチャを挟んで一方にロールフィルム装填室、他方にフィルム巻上室が配置されているカメラであって、前記エアー排出手段は前記フィルム装填室あるいはフィルム巻上室の背面位置あるいは直下位置に配設されていることを特徴とする請求項３又は４に記載のカメラのフィルム平面保持構造。
【請求項６】
カメラボディに対して開閉可能若しくは着脱可能な裏蓋に前記圧板が一体的に形成されており、前記エアー室、前記エアー排出口、前記エアー排出手段は前記裏蓋内に配設されていることを特徴とする請求項１ないし５のいずれかに記載のカメラのフィルム平面保持構造。
【請求項７】
前記エアー排出口から前記吸気孔に至るエアー通路の少なくとも一部に通気性のある遮光部材が配設されていることを特徴とする請求項１ないし６のいずれかに記載のカメラのフィルム平面保持構造。
【請求項８】
前記エアー排出口には防塵フィルタが配設されていることを特徴とする請求項１ないし７のいずれかに記載のカメラのフィルム平面保持構造。
【請求項９】
前記エアー排出手段は、少なくとも前記露光が行われる間はエアー室内のエアー排出動作を継続して行うように構成されていることを特徴とする請求項１ないし８のいずれかに記載のカメラのフィルム平面保持構造。
【請求項１０】
前記エアー排出手段は、フィルムを移送する際にはエアー排出動作が停止されるとともに、エアー室への外部のエアーの流入を許容する構成であることを特徴とする請求項１ないし９のいずれかに記載のカメラのフィルム平面保持構造。
【発明の詳細な説明】
【０００１】
【発明の属する技術分野】
本発明はカーリングし易いフィルムを用いるカメラにおいて、当該フィルムの平面性を向上させるための平面保持構造に関するものである。
【０００２】
【従来の技術】
３５ミリフィルムやブローニフィルム等のロールフィルムは巻き癖によってフィルムの平面性を確保することが難しく、フィルムに対して撮影を行ったときに当該巻き癖やカーリングによって撮影画像に歪やピンボケが生じてしまう。このようなフィルムの巻き癖やカーリング（以下、これらを総称してカーリングと称する）を解消してフィルムの平面性を確保するための技術として、従来から真空吸引を利用したフィルム平面保持技術が提案されている。
【０００３】
例えば、特許文献１では、フィルム吸引機構として、フィルムの露光領域の背後に沿って平坦に加工された圧板を配置し、この圧板の背後に流入空間を形成するとともに、当該圧板に流入空間に通じる吸気孔を開口する。また、この流入空間に吸入弁を介して連通される調圧室をゴム枠材を用いて形成し、モータの回転によって偏心軸を中心に回転体を回転させ、この回転体によってゴム枠材を押圧して調圧室の体積を変化させる吸引ポンプを構成している。この吸引ポンプの動作によって調圧室の体積が増加したときには調圧室に連通して設けられた排出弁を通してエアーを外部に排出し、体積が減少したときには吸入弁を通してエアーを調圧室に流入させることで、流入空間のエアー圧を低減させ、吸気孔によりフィルムを圧板に吸引して密着状態とし、フィルムの平面性を向上している。
【０００４】
【特許文献１】特開２００１−１８３７２９号公報
【０００５】
【発明が解決しようとする課題】
このように特許文献１の技術では、フィルムの平面性を向上する上で有効であるが、本発明者がさらなる研究を行ったところ、次のような改善すべき点が見いだされた。それは、特許文献１の技術では、圧板の背後に流入空間が形成され、この流入空間の背後に調圧室が配設され、さらに調圧室の背面に設けられたゴム枠材を押圧してポンプ作用を行うように構成されている。このため、圧板の背後に流入空間、調圧室、吸引ポンプを配置するためのスペースが必要であり、圧板の厚み方向の寸法、すなわちカメラの前後方向の寸法が大きくなってしまう。そのため、中判以上のカメラへの適用は可能であっても、３５ミリフィルムカメラ等の小型カメラへの適用が難しくなる。
【０００６】
特許文献１では吸引動作が間欠駆動であるため、カーリングによるフィルムと圧板との隙間が大きい場合には、フィルムを圧板に吸引できないことがある。十分な吸引力を得るために高速駆動するとゴム枠部の耐久性が問題となる。また、特許文献１の技術では、流入空間のエアー圧が低下されてフィルムを吸引したときに全ての吸気孔がフィルムによって塞がれると、ポンプが動作している間は流入空間のエアー圧は減圧され続けられ、このときフィルムの一部にカーリングした部分が存在していると、フィルムはカーリングした状態のまま圧板に対して密着状態にされてしまう。そのため、フィルムの可撓性及び剛性によってフィルムが平面方向に伸びながら圧板に密着しようとする性質（以下、この性質を自己整合性と称する）を期待することができなくなり、フィルムの平面性が逆に悪化してしまうことがある。
【０００７】
さらに、特許文献１の技術では、撮影後のフィルムを移送する際には吸引ポンプの駆動を停止して圧板に対するフィルムの吸引を解除することになるが、吸引ポンプによってエアー圧が低下された流入空間のエアー圧を迅速に大気圧に復帰させるための手段が存在していないため、フィルムと吸引孔との間に生じるエアーの漏れによってエアー圧が増大するのを待たなければならず、高速撮影時のフィルム移送に問題が生じないとも言えない。密着状態によっては吸引解除されるまでかなりの時間を要し、撮影作業に支障をきたすことがある。
【０００８】
本発明の目的は、圧板の背後の厚み方向の寸法を低減し、３５ミリフィルムカメラ等の小型フィルムカメラへの適用を可能にしたフィルム平面保持構造を提供するものである。また、本発明の他の目的は、フィルム自身の自己整合性を可能にしてフィルムの平面性を向上することを可能にしたフィルム平面保持構造を提供するものである。さらに、本発明の他の目的は、フィルムの移送を高速化することを可能にしたフィルム平面保持構造を提供するものである。
【０００９】
【課題を解決するための手段】
本発明は、フィルムの露光が行われる領域の背面に沿って配置され、当該フィルムの背面に当接されてフィルムを平面状態に保持させるための圧板と、当該圧板の背後に区画形成されたエアー室と、フィルムの露光が行われる領域の背後を除く領域に配置され、エアー室のエアーを排出可能なエアー排出手段と、露光が行われる領域の圧板に配設され、エアー室に連通された複数の吸気孔とを備えることを特徴とする。
【００１０】
また、本発明は、フィルムの露光が行われる領域の背面に沿って配置され、当該フィルムの背面に当接されてフィルムを平面状態に保持させるための圧板と、当該圧板の背後に区画形成され、エアー排出口を通して外部に連通されているエアー室と、エアー室を外部に連通させた状態でエアー室のエアーを排出可能なエアー排出手段と、露光が行われる領域の圧板に配設され、エアー室に連通された複数の吸気孔とを備え、エアー排出手段をファンで構成したことを特徴とする。
【００１１】
ここで、エアー排出手段は、少なくとも露光が行われる間はエアー室内のエアー排出動作を継続して行うように構成される。また、エアー排出手段は、フィルムを移送する際にはエアー排出動作が停止されるとともに、エアー室へのカメラ外部のエアーの流入を許容する構成とされる。
【００１２】
本発明によれば、圧板に設けた吸気孔においてフィルムを吸引するためのエアー排出手段を、当該フィルムの露光が行われる領域の背後を除く領域に配置しているので、圧板の背後のスペースを低減してカメラ前後方向の寸法を縮小し、小型カメラへの適用が可能になる。また、吸気孔での吸引を行わせるエアー室が外部に連通されているため、エアー室のエアー圧の減圧を緩やかなものにでき、フィルムの平面性を向上させる上で有利になる。さらに、エアー室のエアー圧の復帰が迅速であり、フィルムの吸着を迅速に解消し、フィルムの高速移送を実現することができる。
【００１３】
【発明の実施の形態】
次に、本発明の実施形態を図面を参照して説明する。図１は本発明を３５ミリフィルムを用いる一眼レフカメラに適用した実施形態の裏蓋を開いた状態の外観斜視図である。カメラボディ１は前面に撮影レンズ２が着脱可能に装着され、上面にはファインダ部１１、ＬＣＤ表示部１２、レリーズボタン１３、その他の各種スイッチ１４等が配設されている。また、カメラボディ１の左右方向の一側部にはカメラボディ１の背面に対して開閉可能な裏蓋３が図外のヒンジにより連結されている。前記カメラボディ１の背面には、左右の両端部にパトローネ室１０１とスプール室１０２が設けられており、このパトローネ室１０１とスプール室１０２の間にはフィルムに対して露光を行うためのアパーチャ１０３が配設されるとともに、このアパーチャ１０３の上下には３５ミリフィルムの幅寸法よりも若干大きい上下間隔を有してそれぞれ左右方向に延びる一対のガイドレール１０４が微小寸法で突出形成されている。そして、前記パトローネ室１０３に装填されるパトローネＰ（図３参照）から引き出された３５ミリフィルムＦはガイドレール１０４によって幅方向（カメラ上下方向）が拘束されながら移送され、アパーチャ１０３に対向する位置で露光が行われ、さらにスプール室１０２に内装されているスプール１０５に巻き上げられるようになっている。
【００１４】
一方、前記裏蓋３はヒンジを支点にして前記カメラボディ１の背面を開閉可能とされており、閉じたときには前記カメラボディ１の背面を遮光状態に覆うとともに、前記カメラボディ１の他側部に設けられた図外のロック機構によってカメラボディ１にロックされる。また、前記裏蓋３の内面の前記アパーチャ１０３に対応する領域には前面が平坦に加工された台状の圧板３１が一体的に設けられている。この圧板３１は裏蓋３が閉じられたときにその前面が前記ガイドレール１０４に当接され、これらガイドレール１０４と圧板３１とでカメラボディの背面に微小間隙のトンネルを画成し、このトンネル内を前記３５ミリフィルムＦを移送させるとともに、前記アパーチャ１０３において露光を行う際には当該３５ミリフィルムＦの背面に密接してフィルムの平面性を保持するようになっている。
【００１５】
前記裏蓋の詳細３を説明する。図２は前記裏蓋３を背面側から見たときの内部構成を透視的に見た概略図、図３は裏蓋を閉じた状態のカメラのほぼ中央高さ位置の概略断面図、図４（ａ）はカメラの左右方向のほぼ中央位置の概略断面図である。これらの図に示すように、前記裏蓋３には前記したように圧板３１が一体に形成されており、この圧板３１の背後で、かつ少なくとも前記アパーチャ１０３の寸法よりも大きな領域の裏蓋３の内部には、カメラの前後方向には小さい寸法をした矩形のエアー室３２が形成されている。そして、前記圧板３１の前面の少なくとも前記アパーチャ１０３に対向する領域には前記エアー室３２に連通される複数の微小径の吸気孔３３が点在配置されている。また、前記エアー室３２に隣接して前記パトローネ室１０１に対応する領域の裏蓋３の内部にはエアー室３２よりも外形寸法が小さくされたエアー通路３４がエアー室３２と連通状態に形成されている。このエアー通路３４には裏蓋３の背面に開口されたエアー排出口３５が配設されており、このエアー排出口３５にはモータを回転駆動源とするエアーファン（以下、モータファンと称する）３６が取り付けられ、モータファン３６の回転によってエアー通路３４を通して前記エアー室３２のエアーをエアー排出口３５から外部に強制排気できるようになっている。なお、モータファン３６は逆回転されたときにはカメラ外部のエアーをエアー排出口３５からエアー通路３４を通してエアー室３２に供給することが可能である。
【００１６】
前記エアー室３２とエアー通路３４との境界には、図５に一部を破断して示すように、矩形の枠３７１内に横断面が「く」字型をした複数のルーバ３７２を微小間隔で配列した遮光ルーバ３７が配設されており、エアー室３２とエアー通路３４との間のエアーの通流を可能にする一方で、エアー通路３４側から進入されてきた光がエアー室３２に漏れ込むことが無いようになっている。また、前記エアー排出口３５にはエアーを通流することが可能な一方で塵埃がエアー通路３４及びエアー室３２に侵入することを防止する防塵フィルタ３８が設けられている。
【００１７】
前記モータファン３６は、図６に示すように、矩形をしたケーシング３６１内に図には表れないモータ及び当該モータによって回転される送風羽根３６２が内装されたものであり、例えばコンピュータ等の冷却用ファンとして用いられる超小型のモータファンを利用することが可能である。また、前記モータファン３６には当該モータファン３６の回転速度を検出するためのインタラプタ３９が付設されている。このインタラプタ３９は、モータファン３６の回転軸３６３と一体に設けられ、円周一部に透孔３９２が開口された回転板３９１と、この回転板３９１を板厚方向に挟むように発光素子と受光素子を配置し、発光素子で発光された光を前記透光を通して受光素子で受光したときに電気信号を出力する光検出素子３９３とで構成されており、この光検出素子３９３から出力される電気信号のパルス周波数が回転軸３６３の回転速度に対応して変化することを利用してモータファン３６の回転速度の検出を行うものである。
【００１８】
このように、この実施形態のカメラでは、モータファン３６をカメラボディ１のアパーチャ１０３の背後に配置形成したエアー室３２には内装配置していないので、エアー室３２のカメラ前後方向の寸法（撮影レンズ２の光軸と平行方向）がモータファン３６によって増大されることはない。同時に、モータファン３６をパトローネ室１０１の背後に設けたカメラ前後方向の寸法が小さいエアー通路３４のエアー排出口３５に臨む位置に設けたことで、この領域におけるカメラ前後方向の寸法の増大も回避できる。この結果、カメラ全体の前後方向の寸法を抑制でき、小型カメラ、例えば、３５ミリフィルム用のカメラへの適用が可能になる。
【００１９】
図７は前記モータファン３６を含む前記カメラの電気回路構成、特にここでは本発明に関連する部分の回路構成を示すブロック図である。ＣＰＵ４０１には、メインスイッチ（電源スイッチ）４１１、レリーズボタン１３の半押し、全押で動作する測光スイッチ４１２及びレリーズースイッチ４１３、連写撮影を行う際にオンされる連写スイッチ４１４が接続される。また、測光回路４２１、測距回路４２２からの測光データ、測距データが入力されるとともに、前記レリーズボタン１３の押下操作に伴って、フィルム巻き上げ回路４３１、シャッタ回路４３２、絞り回路４３３、ＡＦ（自動焦点）回路４３４を制御して、巻き上げモータ４４１を駆動してフィルムの巻き上げ等のフィルム移送や、シャッタ装置４４２、絞り装置４４３、ＡＦ装置４４４を駆動してフィルムに対する露光を行うようになっている。さらに、ファン回路部４５０として、パルス幅に対応してモータファン３６に印加する電圧を制御するドライバＩＣ４５１により前記モータファン３６を駆動し、その一方でモータファン３６の回転速度を検出する前記インタラプタ３９の出力をＦ／Ｖ（周波数／電圧）変換器４５２によって電圧に変換し、変換した電圧をＡ／Ｄ（アナログ／デジタル）変換器４５３によってデジタル変換されたデータを取り込むようになっている。
【００２０】
図８は前記カメラの撮影動作を説明するためのフローチャートであり、カメラの撮影動作に必要とされる一連の動作のうち、撮影時におけるフィルムの平面性を保持する動作に関連する動作のみを示している。ここでは、既にフィルム巻き上げ回路４３１及びフィルム巻き上げモータ４４１によってフィルムの巻き上げに伴うフィルム先頭出しが行われており、あるいは前回の撮影後にフィルムの次に撮影する領域がアパーチャ１０３に対応する領域にまで巻き上げられているものとする。レリーズボタン１３が半押しされて測光スイッチ４１２がオンされると（Ｓ１０１）、連写スイッチ４１４の状態から連写撮影であるか否かが判定される（Ｓ１０２）。連写でない場合には、吸引開始ステップが行われる（Ｓ１０３）。すなわち、図９に示すように、ＣＰＵ４０１から予め設定されたＰＷＭ（パルス幅変調）信号がドライバＩＣ４５１に入力され（Ｓ２０１）、ドライバＩＣはこれを受けて当該ＰＷＭ信号のデューティに対応する電圧をモータファン３６に供給する（Ｓ２０２）。これにより、モータファン３６は回転駆動され（Ｓ２０３）、エアー室３２のエアーは遮光ルーバ３７、エアー通路３４、防塵フィルタ３８を通してエアー排出口３５から外部に排出され、エアー室３２のエアー圧は徐々に減圧されて行く（Ｓ２０４）。したがって、エアー室３２のエアー圧の減圧に伴って、エアー室３２に開口されている吸気孔３３がフィルムの吸引動作を行うようになり、図４（ｂ）に示すように、アパーチャ１０３位置にあるフィルムＦは吸気孔３３によって吸引されて圧板３１に吸着され、平坦な圧板３１の表面にならってアパーチャ１０３に対応する領域のフィルム平面性が保持される（Ｓ２０５）。
【００２１】
次いで、図８に示したように、レリーズスイッチ４１３がオンされるか否かを判定し、オンされないときには、再度測光スイッチ４１２を確認し（Ｓ１０５）、測光スイッチ４１２がオンのときにはレリーズスッチ４１３がオンされるのを待機する。ここで、測光スイッチ４１２がオフされているときにはモータファン３６の回転駆動を停止した上で（Ｓ１０６）、ステップＳ１０１に戻る。次いで、レリーズボタン１３が全押しされてレリーズスイッチ４１３がオンされると、レリーズシーケンスを実行する（Ｓ１０７）。すなわち、詳細な説明は省略するが、ＣＰＵ４０１は測光回路４２１、測距回路４２２からの測定データに基づいて、シャッタ回路４３２、絞り回路４３３、ＡＦ回路４３４を制御し、シャッタ装置４４２、絞り装置４４３、ＡＦ装置４４４を駆動してフィルムに対する撮影を実行する。なお、このレリーズシーケンスの間、モータファン３６は回転駆動が継続されており、エアー室３２のエアーは継続して排出されているので、フィルムＦは圧板３１に吸着された状態が継続され、フィルムの平面性が保持される。また、この間、ＣＰＵ４０１はインタラプタ３９によりモータファン３６の回転速度を検出し、この回転速度と密接な関係のあるエアー室３２のエアー圧を監視し、エアー圧が好適な値となるようにドライバＩＣ４５１に供給するＰＷＭ信号のデューティ比を変化させ、モータファン３６の回転速度をフィードバック制御するように構成してもよい。
【００２２】
露光が完了され、レリーズボタン１３の押下が解除されると、モータファン３６の駆動を停止する（Ｓ１０８）。これは、ＣＰＵ４０１からドライバＩＣ４５１に対するＰＷＭ信号の入力を停止し、ドライバＩＣ４５１はモータファン３６に供給していた電圧の供給を停止する。これにより、外部のエアーはエアー排出口３５、エアー通路３４を通してエアー室３２に流入され、エアー室３２のエアー圧は速やかに大気圧にまで上昇し、吸気孔３３によるフィルムＦの圧板３１への吸着が解放される。しかる後、ＣＰＵ４０１はフィルム巻き上げ回路４３１を制御し、巻き上げモータ４４１によりフィルムを１駒分巻き上げる（Ｓ１０９）。なお、本実施形態においては、制御の簡略化および低消費電力化を図るべく、露光完了後はモータファン３６を停止させる構成としているが、この巻き上げ時には、ドライバＩＣ４５１はモータファン３６に対して逆極性の電圧を供給してモータファン３６を逆方向に回転させ、エアー室３２のエアー圧を増加して吸気孔３３から圧板３１の内面に向けてエアーを吐出させるようにしてもよい。このようにすれば、フィルムＦは吸気孔３３からのエアーの吐出圧によって圧板３１から積極的に離される状態となり、フィルムを巻き上げる際にフィルムが圧板３１に接触することがなくなり、フィルムの移送に伴う負荷を軽減し、高速の巻き上げが可能になる。
【００２３】
図１０（ａ）はエアー室３２のエアー圧の変化を示すタイミング図である。モータファン３６によってエアー圧は徐々に低下されるが、エアー室３２はエアー通路３４及びエアー排出口３５を通して外部、すなわち大気に連通されているため、モータファン３６の回転が停止されると外部のエアーがエアー排出口３５、エアー通路３４を通してエアー室３２に急速に流れ込むため短時間でエアー室３２のエアー圧は大気圧に戻される。また、エアー室３２が大気に連通されているために、モータファン３６が排気動作を行っている時でも、図１０（ｂ）に示すような、特許文献１の密閉された流入空間を断続的にエアー排出する場合のエアー圧の低下と比較するとエアー室３２内のエアー圧の低下割合は緩やかなものとなる。そのため、フィルムに巻き癖やカーリングが生じている場合に、当該フィルムを圧板３１に吸引して密着状態とさせる場合でも、フィルムの可撓性あるいは剛性によるフィルムの自己整合性の応力がエアー圧による吸引力に打ち勝つことが可能であり、これにより密着されようとするフィルムはカーリングした部分が徐々に伸長されるようになり、フィルムを圧板に密接させて平面性を向上する効果を高めることが可能になる。
【００２４】
なお、エアー排出口３５からエアー通路３４内に外部光が侵入しても、遮光ルーバ３７によってエアー室３２にまで侵入することが遮光されるため、外部光がエアー室３２から吸気孔３３を通してフィルムＦに露光されることは防止される。また、塵埃は防塵フィルタ３８によって遮断されるため、塵埃がエアー通路３４及びエアー室３２に侵入されることはなく、さらに吸気孔３３を通してカメラ内部にまで侵入されることはない。
【００２５】
ここで、モータファンが回転駆動したときの排出エアーがカメラの背後方向に排出されることが好ましくないと考えられる場合には、図１１に模式的に示す実施形態のように、エアー排出口３５をカメラボディ１の底面に配設するようにしてもよい。例えば、図示は省略するが、裏蓋の一部がカメラボディの底面に位置されるような突部を設けておき、この突部内にエアー室３２に連通されるエアー通路３４を配設し、このエアー通路３４の直下の突部の底面にエアー排出口３５を開口するとともにモータファン３６を配設すればよい。また、前記実施形態と同様にエアー通路３４内に遮光ルーバを設け、エアー排出口３５に防塵フィルタを設けるようにする。このようにすることで、排出エアーはカメラの底面から下方に排出されるため、撮影時に排出エアーが撮影者の顔等にかかるようなことはない。また、モータファン３６を底面に配置したことで、カメラ全体の前後方向の寸法をさらに小さくすることが可能になる。
【００２６】
あるいは、図１２に模式的に示す実施形態のように、エアー通路を設けることなく、エアー室３２の直下にエアー排出口３５を左右に細長く形成し、このエアー排出口にシロッコファン３６Ａを配設するようにしてもよい。知られているようにシロッコファンは外形が細長い円筒状に形成されているため、カメラ全体の前後方向の寸法を増大することはない。また、排出エアーが撮影者の顔等にかかることもない。なお、この実施形態では、通気性がある一方で、遮光性及び防塵性のある遮光・防塵フィルタをエアー排出口に配設し、遮光と防塵を行うようにしてもよい。
【００２７】
以上の説明において、本発明のエアー排出手段としてモータファンを用いた実施形態について説明したが、エアー室を外部と完全に遮断することがない状態でエアー室からのエアーの排出を連続的に行うことが可能な手段であれば、例えば、一般的にエアーポンプと称されるものを用いることも可能である。
【００２８】
また、本発明は前記実施形態の３５ミリフィルムを用いるカメラに限られるものではなく、ＡＰＳフィルムを用いるカメラ、ブローニフィルムを用いる中判カメラ等、巻き癖やカーリングが生じ易いロールフィルムを用いるカメラであれば同様に適用が可能であることは言うまでもない。例えば、ブローニフィルムを用いる中判カメラで、フィルムバックを備えるカメラでは、フィルムバックに本発明のエアー室やエアー排出手段を配設すればよい。
【００２９】
【発明の効果】
以上説明したように本発明は、圧板に設けた吸気孔においてフィルムを吸引するためのエアー排出手段を、当該フィルムの露光が行われる領域の背後を除く領域に配置しているので、圧板の背後のスペースを低減してカメラ前後方向の寸法を縮小し、小型カメラへの適用が可能になる。また、本発明は、吸気孔での吸引を行わせるエアー室が外部に連通され、かつエアー室が外部に連通された状態でエアー排出をファンにより行っているため、エアー室のエアー圧の減圧を緩やかなものにでき、フィルムの平面性を向上させる上で有利になる。
【図面の簡単な説明】
【図１】本発明にかかるカメラの裏蓋を開いた状態の概略斜視図である。
【図２】裏蓋を背面側から見たエアー室びエアー排出手段の概略斜視図である。
【図３】カメラのほぼ中央高さ位置の水平方向の概略断面図である。
【図４】カメラの左右方向のほぼ中央位置の垂直方向の概略断面図である。
【図５】遮光ルーバの一部を破断した斜視図である。
【図６】モータファンの概略斜視図である。
【図７】カメラの電気回路構成を示すブロック回路図である。
【図８】カメラにおけるフィルム吸着動作を示すフローチャートである。
【図９】フィルム吸着フローの詳細を示すフローチャートである。
【図１０】従来と本発明のエアー室のエアー圧の減圧状態を比較して示す図である。
【図１１】本発明の一の変形例の実施形態におけるエアー排出手段の概略構成を示す図である。
【図１２】本発明の他の変形例の実施形態におけるエアー排出手段の概略構成を示す図である。
【符号の説明】
１  カメラボディ
２  撮影レンズ
３  裏蓋
３１  圧板
３２  エアー室
３３  吸気孔
３４  エアー通路
３５  エアー排出口
３６  モータファン
３７  遮光ルーバ
３８  防塵フィルタ
１０３  アパーチャ
１０４  ガイドレール
Ｆ  フィルム
【図１】
2004184823.tif 000003
【図２】
2004184823.tif 000004
【図３】
2004184823.tif 000005
【図４】
2004184823.tif 000006
【図５】
2004184823.tif 000007
【図６】
2004184823.tif 000008
【図７】
2004184823.tif 000009
【図８】
2004184823.tif 000010
【図９】
2004184823.tif 000011
【図１０】
2004184823.tif 000012
【図１１】
2004184823.tif 000013
【図１２】
2004184823.tif 000014